(57)【要約】【課題】この発明は水素貯蔵装置および水素供給装置に関し、水素吸着剤の吸着性能を十分に発揮させて、高い吸着率の要求を満たす水素貯蔵装置および水素供給装置を提供することを目的とする。【解決手段】水素を貯蔵する貯蔵容器と、前記貯蔵容器の内部空間に配置された水素吸着剤と、水素発生源から発生する水素を前記貯蔵容器の内部空間に供給する水素供給部と、極低温の冷却媒体によって前記水素供給部を冷却する水素供給部冷却手段と、を備えることを特徴とする水素貯蔵装置。【選択図】図１
2009275753.tif 000002
【特許請求の範囲】
【請求項１】
内部空間を有する貯蔵容器と、
前記貯蔵容器の内部空間に配置された水素吸着剤と、
水素発生源から発生する水素を前記貯蔵容器の内部空間に供給する水素供給部と、
極低温の冷却媒体によって前記水素供給部を冷却する水素供給部冷却手段と、
を備えることを特徴とする水素貯蔵装置。
【請求項２】
前記貯蔵容器の外周に沿って配置された極低温の冷却部材を備えることを特徴とする請求項１に記載の水素貯蔵装置。
【請求項３】
前記貯蔵容器の外周部を覆うように配置された断熱部材を備えることを特徴とする請求項１または２に記載の水素貯蔵装置。
【請求項４】
前記水素供給部冷却手段は、内部空間を有する筐体を備え、
前記筐体の内部空間は、前記水素供給部によって貫通されるとともに外部から導入した液体状の前記冷却媒体を流通可能であり、
前記貯蔵容器の内部空間に供給する水素温度を取得する水素温度取得手段と、
前記水素温度が予め定めた極低温の設定温度となるように前記冷却媒体の流量を制御する流量制御手段と、
を備えることを特徴とする請求項１〜３いずれか１項に記載の水素貯蔵装置。
【請求項５】
前記水素発生源と前記水素供給部との間に配置され、前記水素温度が前記設定温度よりも高い場合に、前記水素発生源から流入する水素の圧力を高くする圧力制御手段と、
を備えることを特徴とする請求項４に記載の水素貯蔵装置。
【請求項６】
前記極低温は、−１５０℃以下の温度であることを特徴とする請求項１〜５いずれか１項に記載の水素貯蔵装置。
【請求項７】
前記水素供給部の外周に沿って配置された放熱部材を備えることを特徴とする請求項４または５に記載の水素貯蔵装置。
【請求項８】
内部空間を有する貯蔵容器に着脱可能な連結口を備え、水素発生源から発生する水素を前記連結口から供給する水素供給部と、
極低温の冷却媒体によって前記水素供給部を冷却する水素供給部冷却手段と、
を備えることを特徴とする水素供給装置。
【請求項９】
前記水素供給部冷却手段は、内部空間を有する筐体を備え、
前記筐体の内部空間は、前記水素供給部によって貫通されるとともに外部から導入した液体状の前記冷却媒体を流通可能であり、
前記連結口から供給する水素温度を取得する水素温度取得手段と、
前記水素温度が予め定めた極低温の設定温度となるように前記冷却媒体の流量を制御する流量制御手段と、
を備えることを特徴とする請求項８に記載の水素供給装置。
【請求項１０】
前記水素発生源と前記水素供給部との間に配置され、前記水素温度が前記設定温度よりも高い場合に、前記水素発生源から流入する水素の圧力を高くする圧力制御手段と、
を備えることを特徴とする請求項９に記載の水素供給装置。
【請求項１１】
前記極低温は、−１５０℃以下の温度であることを特徴とする請求項８〜１０いずれか１項に記載の水素供給装置。
【請求項１２】
前記水素供給部の外周に沿って配置された放熱部材を備えることを特徴とする請求項９または１０に記載の水素供給装置。
【発明の詳細な説明】
【技術分野】
【０００１】
この発明は、水素貯蔵装置および水素供給装置に関し、特に、内部空間に水素吸着剤を備える吸蔵容器に水素を供給して貯蔵する水素貯蔵装置、および、その吸蔵容器に水素を供給する水素供給装置に関する。
【背景技術】
【０００２】
従来、例えば、特許文献１に開示されているように、水素吸着剤を収容した水素吸蔵容器に外気を送り込んで冷却し、水素吸着剤への水素吸着を促進させる冷却手段を備えた水素貯蔵装置が知られている。水素吸着剤への水素吸着は、水素貯蔵容器を冷却することで促進することができる。特許文献１では、冷却手段により水素貯蔵容器を冷却している。よって、特許文献１によれば、水素吸着剤への水素吸着を促進することができる。
【０００３】
【特許文献１】特開２００５−６３７１５号公報
【特許文献２】特開２００６−１０４３２７号公報
【非特許文献１】ジェフリー・アール・ロング（Jeffrey R. Long）ら、「剥き出しＭｎ２＋配位部位を有する微孔性有機金属構造体における水素貯蔵（Hydrogen Storage in a Microporous Metal-Organic Framework with Exposed Mn2+ Coordination Sites）」（米国）、ジャーナル・オブ・アメリカン・ケミカル・ソサエティ（J. Am. Chem. Soc.）、2006年9月12日、p. 16876-16883
【発明の開示】
【発明が解決しようとする課題】
【０００４】
ところで、水素吸着剤への水素吸着に対しては、より一層の吸着率が要求されている。したがって、水素吸着剤の吸着性能を十分に発揮させて高吸着率を達成させることが望ましい。しかしながら、特許文献１では、水素吸着剤への吸着が発熱反応であることに着目し、この反応熱の除去を目的として外気で水素貯蔵容器を冷却しているに過ぎない。このため、水素吸着剤の吸着性能を十分に発揮させているとはいえず、高吸着率の要求を必ずしも満たすものではなかった。
【０００５】
この発明は、上述の課題を解決するためになされたものあり、水素吸着剤の吸着性能を十分に発揮させて、高い吸着率の要求を満たす水素貯蔵装置および水素供給装置を提供することを目的とする。
【課題を解決するための手段】
【０００６】
第１の発明は、上記の目的を達成するため、水素貯蔵装置であって、
内部空間を有する貯蔵容器と、
前記貯蔵容器の内部空間に配置された水素吸着剤と、
水素発生源から発生する水素を前記貯蔵容器の内部空間に供給する水素供給部と、
極低温の冷却媒体によって前記水素供給部を冷却する水素供給部冷却手段と、
を備えることを特徴とする。
【０００７】
また、第２の発明は、第１の発明において、
前記貯蔵容器の外周に沿って配置された極低温の冷却部材を備えることを特徴とする。
【０００８】
また、第３の発明は、第１または第２の発明において、
前記貯蔵容器の外周部を覆うように配置された断熱部材を備えることを特徴とする。
【０００９】
また、第４の発明は、第１乃至第３の発明において、
前記水素供給部冷却手段は、内部空間を有する筐体を備え、
前記筐体の内部空間は、前記水素供給部によって貫通されるとともに外部から導入した液体状の前記冷却媒体を流通可能であり、
前記貯蔵容器の内部空間に供給する水素温度を取得する水素温度取得手段と、
前記水素温度が予め定めた極低温の設定温度となるように前記冷却媒体の流量を制御する流量制御手段と、
を備えることを特徴とする。
【００１０】
また、第５の発明は、第４の発明において、
前記水素発生源と前記水素供給部との間に配置され、前記水素温度が前記設定温度よりも高い場合に、前記水素発生源から流入する水素の圧力を高くする圧力制御手段と、
を備えることを特徴とする。
【００１１】
また、第６の発明は、第１乃至第５の発明において、
前記極低温は、−１５０℃以下の温度であることを特徴とする。
【００１２】
また、第７の発明は、第４または第５の発明において、
前記水素供給部の外周に沿って配置された放熱部材を備えることを特徴とする。
【００１３】
また、第８の発明は、上記の目的を達成するため、水素供給装置であって、
内部空間を有する貯蔵容器に着脱可能な連結口を備え、水素発生源から発生する水素を前記連結口から供給する水素供給部と、
極低温の冷却媒体によって前記水素供給部を冷却する水素供給部冷却手段と、
を備えることを特徴とする。
【００１４】
また、第９の発明は、第８の発明において、
前記水素供給部冷却手段は、内部空間を有する筐体を備え、
前記筐体の内部空間は、前記水素供給部によって貫通されるとともに外部から導入した液体状の前記冷却媒体を流通可能であり、
前記連結口から供給する水素温度を取得する水素温度取得手段と、
前記水素温度が予め定めた極低温の設定温度となるように前記冷却媒体の流量を制御する流量制御手段と、
を備えることを特徴とする。
【００１５】
また、第１０の発明は、第９の発明において、
前記水素発生源と前記水素供給部との間に配置され、前記水素温度が前記設定温度よりも高い場合に、前記水素発生源から流入する水素の圧力を高くする圧力制御手段と、
を備えることを特徴とする。
【００１６】
また、第１１の発明は、第８乃至第１０の発明において、
前記極低温は、−１５０℃以下の温度であることを特徴とする。
【００１７】
また、第１２の発明は、第９または第１０の発明において、
前記水素供給部の外周に沿って配置された放熱部材を備えることを特徴とする。
【発明の効果】
【００１８】
第１の発明によれば、水素供給部冷却手段によって水素供給部が極低温に冷却されているため、水素冷却部の内部を流通する段階で水素を極低温に冷却することができる。極低温の水素が貯蔵容器の内部空間に供給されることで、内部空間に配置された水素吸着剤の水素吸着率が改善できる。したがって、水素吸着剤の吸着性能を十分に発揮させて、高い吸着率の要求を満たす水素貯蔵装置を提供できる。
【００１９】
第２の発明によれば、外周部に沿って配置された極低温の冷却部材によって貯蔵容器を冷却することができる。貯蔵容器を極低温の冷却部材によって冷却できれば、貯蔵容器の温度を極低温に維持することができる。したがって、内部空間に配置された水素吸着剤の水素吸着率が更に改善できる。
【００２０】
第３の発明によれば、貯蔵容器の外周部を断熱部材で覆うことができる。したがって、貯蔵容器表面からの吸熱を抑制できる。
【００２１】
ところで、水素温度が極低温に維持できれば、水素吸着剤の水素吸着率を維持することができる。第４の発明によれば、貯蔵容器の内部空間に供給する水素温度を取得して、この水素温度が極低温の設定温度となるように液体状の冷却媒体の流量を制御することができる。したがって、水素温度を極低温の設定温度に維持し、水素吸着剤の水素吸蔵率を高い状態に維持することができる。
【００２２】
水素温度を制御して極低温の設定温度に維持したとしても、水素温度は変化するため、水素吸着剤の水素吸着率が大きく低下する場合がある。第５の発明によれば、液体状冷却媒体の流量制御時に、水素の圧力を高く制御することができる。したがって、水素温度の制御時に、水素吸着剤の水素吸蔵率が大きく低下することを抑制することができる。
【００２３】
第６の発明によれば、水素および貯蔵容器の温度を−１５０℃以下に冷却することができる。
【００２４】
第７の発明によれば、水素供給部の外周に沿って配置された放熱部材によって、水素供給部の内部を流通する水素の放熱を効率的に行うことができる。
【００２５】
第８の発明によれば、水素供給部冷却手段によって、水素供給部が極低温に冷却されているため、水素供給部の内部を流通する水素を極低温に冷却することができる。
【００２６】
第９の発明によれば、連結口を経由して貯蔵容器の内部空間に供給する水素温度を取得して、この水素温度が極低温の設定温度となるように液体状の冷却媒体の流量を制御することができる。
【００２７】
第１０の発明によれば、液体状冷却媒体の流量制御時に、水素の圧力を高く制御することができる。
【００２８】
第１１の発明によれば、水素の温度を−１５０℃以下に冷却することができる。
【００２９】
第１２の発明によれば、水素供給部の外周に沿って配置された放熱部材によって、水素供給部の内部を流通する水素の放熱を効率的に行うことができる。
【発明を実施するための最良の形態】
【００３０】
以下、図面を参照して本発明の実施の形態について説明する。なお、各図において、同一または相当する部分には同一符号を付してその説明を簡略化ないし省略する。
【００３１】
実施の形態１．
［実施の形態１の構成］
以下、図１を参照して、本発明の実施の形態１について説明する。図１は、本発明の実施の形態１の水素貯蔵装置を説明するための模式図である。
【００３２】
実施の形態１の水素貯蔵装置は、水素貯蔵容器１２を備えている。図１において、破線で囲った部分が水素貯蔵容器１２を構成する。また、図１において、水素貯蔵容器１２に水素を供給する部分が、水素供給装置を構成する。
【００３３】
水素貯蔵容器１２は、内部空間を有する貯蔵容器である。この内部空間には、水素を吸着貯蔵する性質を有する水素吸着剤１４が配置されている。また、水素貯蔵容器１２は、水素供給装置に着脱可能な連結口１６を有し、連結口１６を介して水素導入管１８に連結されている。水素導入管１８は、水素を注入するための注入口２０を介して水素発生源（図示せず）に接続されている。水素発生源と注入口２０との間には、調圧弁２２が配置されている。調圧弁２２は、水素貯蔵容器１２の内部圧力を制御するための弁であり、調圧弁２２によって、水素貯蔵容器１２の内部圧力は、約１ＭＰａに制御されている。水素発生源から発生した水素は、調圧弁２２、注入口２０の順に経由して水素導入管１８に流入し、連結口１６を経由して水素貯蔵容器１２の内部空間に導入される。
【００３４】
水素導入管１８の外周部には、液体窒素容器２４が配置されている。液体窒素容器２４は、水素導入管１８によってその内部空間を貫通されている。また、液体窒素容器２４は、供給口２６および放出口２８を有している。なお、放出口２８は、大気に開放されている。供給口２６および放出口２８が液体窒素容器２４に備えられていることで、液体窒素容器２４の内部空間に液体窒素を流通させることができる。すなわち、供給口２６から供給された液体窒素は、液体窒素容器２４の内部空間を流通し、放出口２８から気体窒素となって放出される。また、液体窒素は、液体窒素容器２４の内部空間において、水素導入管１８の外周部に接するように流通される。このため、水素導入管１８は、液体窒素によって−１９６℃以下の温度に冷却される。
【００３５】
ところで、水素貯蔵容器１２の外周部には、冷却媒体３０が配置されている。図１に示すように、水素貯蔵容器１２は、連結口１６を有する断面四角の連結部と、水素吸着剤１４が配置された断面円形の貯蔵部とから構成されている。そして、この断面円形の貯蔵部の半分が、断面半円の接触部を有する冷却媒体３０と接触している。この冷却媒体３０は、コールドヘッド３２と熱的に接続されている。コールドヘッド３２は、ヘリウムが循環するヘリウムポンプを有し、このヘリウムポンプによって２０Ｋ（−２５３℃）以下の温度を実現する。すなわち、ヘリウムポンプで発生した熱がコールドヘッド３２を経由して冷却媒体３０、水素貯蔵容器１２へと伝わり、水素貯蔵容器１２は、−２５３℃以下の温度に冷却される。
【００３６】
以上説明したように、実施の形態１によれば、水素導入管１８が液体窒素によって−１９６℃以下の極低温に冷却されている。このため、水素導入管１８の内部を流通する段階で水素を−１９６℃以下の極低温に冷却して水素貯蔵容器１２へ導入することができる。−１９６℃以下の極低温に冷却された水素が水素貯蔵容器１２の内部空間に導入されることで、水素吸着剤１４への水素吸着が促進される。
【００３７】
また、実施の形態１によれば、水素貯蔵容器１２の外周部に沿って配置された冷却媒体３０によって水素貯蔵容器１２が冷却されている。冷却媒体３０は、コールドヘッド３２によって−２５３℃以下の極温度に冷却されている。このため、水素貯蔵容器１２は、十分に冷却された状態を維持することができ、水素吸着剤１４への水素吸着が促進される。
【００３８】
なお、上述した実施の形態１では、液体窒素容器２４の内部空間に流通した液体窒素で水素導入管１８を冷却したが、水素導入管１８を十分に冷却し、水素貯蔵容器１２へ導入する水素を十分に冷却できるものであれば好ましく使用できる。具体的には、−１５０℃以下に水素を冷却できる媒体を好ましく使用できる。−１５０℃以下に水素を冷却できる媒体としては、コールドヘッド３２と熱的に接続した冷却媒体３０が挙げられる。また、−１５０℃以下で液体状態をとる物質、つまり、沸点が−１５０℃以下の物質も、好ましい冷却媒体として挙げられる。沸点が−１５０℃以下の物質としては、ネオン、アルゴン、酸素、フッ素、一酸化炭素、酸化窒素（ＮＯ）、メタン等が挙げられる。
また、後述する実施の形態２〜５においても、上記の冷却媒体を用いることが可能である。
【００３９】
なお、上述した実施の形態１では、水素貯蔵容器１２は、連結口１６を有する断面四角の連結部と、水素吸着剤１４が配置された断面円形の貯蔵部とから構成されているが、断面円形の貯蔵部は、図２に示すような形状としてもよい。すなわち、貯蔵部が、軸長かつ細身の断面四角の貯蔵部分と、断面半円形の貯蔵部分とから構成された形状であってもよい。このような形状とすることで、断面円形の貯蔵部よりも、内部空間の単位面積あたりの水素圧力を少なくすることができる。この結果、水素貯蔵容器１２の厚みを少なくすることができる。
また、後述する実施の形態２〜５においても、水素貯蔵容器１２を上記の形状とした変形が可能である。
【００４０】
実施の形態２．
［実施の形態２の構成］
次に、図３を参照して、本発明の実施の形態２について説明する。実施の形態２の水素貯蔵装置は、実施の形態１における水素貯蔵容器１２の外周部に断熱部材を備えている。なお、図３においては、図１と同様、破線で囲った部分が水素貯蔵容器１２を構成し、水素貯蔵容器１２に水素を供給する部分が、水素供給装置を構成する。
【００４１】
図３に示すように、実施の形態２の水素貯蔵装置は、水素貯蔵容器１２の外周部に隔壁３４を備えている。隔壁３４は、断熱材であり、水素貯蔵容器１２の外周部のうち、水素貯蔵容器１２が冷却媒体３０と接触する部分を除く部分に近接して配置されている。また、隔壁３４は、水素貯蔵容器１２の断面四角の連結部を覆い、冷却媒体３０の断面半円の接触部と接続するように配置されている。言い換えれば、水素貯蔵容器１２は、隔壁３４および冷却媒体３０によってその周囲を覆われている。こうすることで、水素貯蔵容器１２は外部から断熱される。
【００４２】
以上説明したように、実施の形態２によれば、水素貯蔵容器１２が、冷却媒体３０および断熱材である隔壁３４によってその周囲を覆われている。このため、水素貯蔵容器１２がその外周表面から吸熱することに起因する、水素貯蔵容器１２の内部空間の温度上昇を防ぐことができる。
【００４３】
実施の形態３．
［実施の形態３の構成］
次に、図４および図５を参照して、本発明の実施の形態３について説明する。実施の形態３の水素貯蔵装置は、実施の形態２の水素貯蔵装置に水素の温度を取得する温度センサを設け、取得した温度に応じて液体窒素の流量を制御したものである。なお、図４においては、図１と同様、破線で囲った部分が水素貯蔵容器１２を構成し、水素貯蔵容器１２に水素を供給する部分が、水素供給装置を構成する。
【００４４】
図４に示すように、実施の形態３の水素貯蔵装置は、温度センサ３６を備えている。温度センサ３６は、水素導入管１８の流路のうち、液体窒素容器２４の下流、かつ、水素貯蔵容器１２の上流の部分に設けられ、この部分を流通する水素温度を取得することができる。すなわち、実施の形態３の水素貯蔵装置は、温度センサ３６によって、水素貯蔵容器１２の内部空間に供給する水素温度を取得することができる。
【００４５】
また、実施の形態３の水素貯蔵装置は、液体窒素容器２４の内部空間を流通する液体窒素の流量を制御することができる。この制御は、温度センサ３６により取得した水素温度が目標水素ガス温度よりも高い場合に、目標水素ガス温度以下となるまで液体窒素の流量を増量させることにより行われる。
【００４６】
図５は、液体窒素の流量制御時におけるタイミングチャートである。図５に示すように、流量制御開始時において、水素温度は、目標水素ガス温度よりも低い。そこで、液体窒素の流量（供給量）は制御開始前と同量に維持される。ところが、水素温度が目標水素ガス温度よりも高くなった場合には、目標水素ガス温度まで低下するように液体窒素の流量を増量させる制御を行う。言い換えれば、水素温度が目標水素ガス温度よりも高い時間帯では、液体窒素の流量を制御開始前よりも増量させる制御が行われる。したがって、流量制御時においては、水素温度が目標水素ガス温度より低い状態を維持することができる。なお、目標水素ガス温度は、水素吸着剤１４の水素吸蔵率を高い状態に維持するために必要な極低温であればよい。
【００４７】
以上、実施の形態３によれば、水素貯蔵容器１２の内部空間に供給する水素温度を取得して、この水素温度が極低温の目標水素ガス温度よりも低くなるように液体窒素の流量を制御することができる。したがって、水素温度を極低温の目標水素ガス温度に維持し、水素吸着剤１４の水素吸蔵率を高い状態で維持することができる。
【００４８】
なお、実施の形態３の水素貯蔵装置は、実施の形態２の水素貯蔵装置、具体的には、水素貯蔵容器１２の外周部に隔壁３４を備えた水素貯蔵装置を用いたが、この隔壁３４は設けなくてもよい。すなわち、水素貯蔵容器１２の内部空間に供給する水素温度が極低温の目標水素ガス温度に維持できればよいため、隔壁３４を設けない変形が可能である。また、後述する実施の形態４、５においても、実施の形態３同様、隔壁３４を設けることのない変形が可能である。
【００４９】
実施の形態４．
［実施の形態４の構成］
次に、図６を参照して、本発明の実施の形態４について説明する。実施の形態４の水素貯蔵装置は、実施の形態３の制御に加え、調圧弁２２を制御したものである。すなわち、実施の形態４の水素貯蔵装置は、温度センサ３６により水素貯蔵容器１２の内部空間に供給する水素温度を取得し、水素温度が目標水素ガス温度よりも高い場合には、液体窒素の流量制御を行うと同時に、調圧弁２２の開度制御を行う。
【００５０】
図６は、液体窒素の流量制御と調圧弁２２の圧力制御とを同時に行った際におけるタイミングチャートである。図６に示すように、制御開始時において、水素温度は、目標水素ガス温度よりも低い。そこで、液体窒素の流量（供給量）は制御開始前と同量に維持される。ここで、調圧弁２２による水素圧力（調圧値）は、制御開始前と同圧値、すなわち約１ＭＰａに維持される。
【００５１】
ところが、水素温度が目標水素ガス温度よりも高くなった場合には、目標水素ガス温度まで低下するように液体窒素の流量を増量させる制御を行い、同時に、調圧弁２２を開いて水素圧力を増加させる制御を行う。言い換えれば、水素温度が目標水素ガス温度よりも高い時間帯では、液体窒素の流量を制御開始前よりも増量させる制御と、水素圧力を制御開始前よりも加圧する制御とが同時に行われる。ここで、水素貯蔵容器１２の内部圧力は、制御開始前の圧力よりも、より１ＭＰａに近い値に制御される。
【００５２】
したがって、水素温度が高くなったとしても、液体窒素の流量を増加させると同時に水素圧力を高くすることで、水素吸着剤１４に水素を安定的に吸蔵させることができる。図６における水素吸蔵量の変化率は、水素吸着剤１４に水素を安定的に吸蔵させることができることを示したものである。つまり、液体窒素の流量を制御しても、水素温度が変化して水素吸着剤１４の水素吸着率が大きく低下する場合がある。また、水素吸着率が大きく低下した場合には、水素吸蔵量そのものが減少する場合がある。このため、液体窒素の流量を増加させると同時に水素圧力を高くして、水素吸着率が大きく低下することを抑制する。この結果、水素吸着剤１４に水素を安定的に吸蔵させて、吸蔵水素量をより多くすることができる。
【００５３】
なお、実施の形態４の水素貯蔵装置は、水素温度が目標水素ガス温度よりも高い場合に、液体窒素の流量制御と調圧弁２２の開度制御とを同時に行って水素吸着剤１４に水素を安定的に吸蔵させたが、液体窒素の流量制御を行うとともに、水素吸着剤１４の水素吸着率を取得し、この水素吸着率が大きく低下した場合に、調圧弁２２の開度制御を行ってもよい。すなわち、液体窒素の流量制御時において、別途取得した水素吸着率が大きく低下した場合に、調圧弁２２を開いて水素圧力を増加させる制御を行うこともできる。なお、この水素吸蔵量の変化率は、重量法等で直接取得することができる。
また、後述する実施の形態５においても、実施の形態４同様、水素吸着剤１４の水素吸蔵量の変化率を取得し、この変化率が増加した場合に、調圧弁２２の開度制御を行う変形が可能である。
【００５４】
実施の形態５．
［実施の形態５の構成］
次に、図７を参照して、本発明の実施の形態５について説明する。実施の形態５の水素貯蔵装置は、実施の形態４の水素貯蔵装置における水素導入管１８の外周に沿って放熱板３８を備えたものである。
【００５５】
図７に示すように、実施の形態５の水素貯蔵装置は、液体窒素容器２４の内部空間を貫通する水素導入管１８の外周に沿って放熱板３８を備えている。放熱板３８は、円盤状のものであり、水素導入管１８の外周に沿って複数枚設けられている。また、液体窒素は、放熱板３８の外周に沿って、液体窒素容器２４の内部空間を流通される。
【００５６】
以上説明したように、実施の形態５によれば、水素導入管１８内部を流通する水素の熱を、放熱板３８を経由して液体窒素容器２４の内部空間に放出できる。このため、水素導入管１８を流通される水素の放熱を効率的に行うことができる。
【００５７】
なお、実施の形態５の水素貯蔵装置は、実施の形態４の水素貯蔵装置の水素導入管１８の外周に沿って放熱板３８を備えたものであるが、温度センサ３６を設けて水素温度を取得し、液体窒素の流量制御および調圧弁２２の開度制御を行わなくともよい。つまり、水素導入管１８内部を流通する水素の熱が放熱板３８を介して放出されればよいため、水素温度によって流量制御や調圧弁２２の開度制御を行うことのない変形が可能である。
【図面の簡単な説明】
【００５８】
【図１】本発明の実施の形態１の水素貯蔵装置を説明するための模式図である。
【図２】本発明の実施の形態１の水素貯蔵装置において、水素貯蔵容器の断面形状を変形した場合の図である。
【図３】本発明の実施の形態２の水素貯蔵装置を説明するための模式図である。
【図４】本発明の実施の形態３の水素貯蔵装置を説明するための模式図である。
【図５】本発明の実施の形態３の、液体窒素の流量制御時におけるタイミングチャートである。
【図６】本発明の実施の形態４の、液体窒素の流量制御と調圧弁の圧力制御とを同時に行った際におけるタイミングチャートである。
【図７】本発明の実施の形態５の水素貯蔵装置を説明するための模式図である。
【符号の説明】
【００５９】
１２  水素貯蔵容器
１４  水素吸着剤
１６  連結口
１８  水素導入管
２０  注入口
２２  調圧弁
２４  液体窒素容器
２６  供給口
２８  放出口
３０  冷却媒体
３２  コールドヘッド
３４  隔壁
３６  温度センサ
３８  放熱板
【図１】
2009275753.tif 000003
【図２】
2009275753.tif 000004
【図３】
2009275753.tif 000005
【図４】
2009275753.tif 000006
【図５】
2009275753.tif 000007
【図６】
2009275753.tif 000008
【図７】
2009275753.tif 000009